(57)【要約】【課題】複数の演奏操作子の操作の組み合わせに応じて発音する楽音が決定される電子楽器の演奏や練習が容易に行えるようになる電子楽器を提供すること。【解決手段】朝顔部１０ｂを含む楽器本体１０を有する電子楽器Ｍに、音声や空気流による空気振動を検出する空気振動検出器２１と、第１〜第３演奏ピストン１１〜１３からなり第１〜第３演奏ピストン１１〜１３の操作の組み合わせに応じて発生する楽音を決定する運指入力手段と、空気振動検出器２１が検出する空気振動と、第１〜第３演奏ピストン１１〜１３の操作に応じて楽音を発生するスピーカー２４とを設けた。そして、電子楽器Ｍを演奏者が演奏する際の朝顔部１０ｂにおける演奏者の視界部分に、第１〜第３演奏ピストン１１〜１３の操作をガイドするための発光子２５〜２７を設けた。また、発光子２５〜２７等の大きさ、形状、色または明暗をそれぞれ異なるように設定した。【選択図】  図１
2004279658.tif 000002
【特許請求の範囲】
【請求項１】
朝顔部を含む楽器本体と、
前記楽器本体に設けられた口入力手段と、
前記楽器本体に設けられた複数の演奏操作子からなり前記演奏操作子の操作の組み合わせに応じて発生する楽音を決定する運指入力手段と、
前記口入力手段の出力と、前記運指入力手段の出力とに応じて楽音を発生する楽音発生手段とを備えた電子楽器であって、
前記電子楽器を演奏者が演奏する際の前記朝顔部における演奏者の視界部分に、前記演奏操作子の操作をガイドするための運指ガイド手段を設けたことを特徴とする電子楽器。
【請求項２】
前記運指ガイド手段を、運指入力手段が備える複数の演奏操作子に対応する複数の指示部で構成し、かつ前記複数の指示部の大きさ、形状、色または明暗をそれぞれ異なるように設定した請求項１に記載の電子楽器。
【発明の詳細な説明】
【０００１】
【発明の属する技術分野】
本発明は、トランペットやホルン等の管楽器のような形状を有し、運指入力手段の操作に応じて発音する楽音を決定する機能を備えた電子楽器に関する。
【０００２】
【従来の技術】
従来から、電子楽器、例えば、鍵盤を備えた電子楽器の中には、鍵盤を構成する複数の演奏操作子を演奏順に発光させて、それに合わせて演奏者が演奏操作子を押圧操作することにより、演奏や演奏の練習を行えるものがある（例えば、特許文献１）。この鍵盤を備えた電子楽器では、楽音を発生するために一つの演奏操作子を操作するようになっており、演奏者は、発光する演奏操作子に合わせて各指を動かすだけで演奏を行えるため、初心者でも容易に電子楽器の演奏を楽しんだり、演奏の練習をしたりすることができる。
【０００３】
【特許文献１】
特開昭５７−５３７９４号公報
【０００４】
【発明が解決しようとする課題】
ところで、トランペットやホルン等の管楽器においては、複数の演奏操作子（ピストン弁）の押圧操作の組み合わせによって発生すべき楽音の音高の候補が決定され、さらに、マウスピース等の口入力部の入力によりアンブッシュア情報が決定されることで、唯一の音高を有した楽音が発生される仕組みになっている。このような複雑な発音形態をとるため、管楽器演奏の困難性があった。それを支援するシステムとしては、電子管楽器が好適であり、口入力部の簡易化技術と演奏操作子ガイド技術の開発が望まれていた。しかしながら、単に、上述の鍵盤を発光指示する演奏ガイド技術を電子管楽器に用いたとしても、音高決定操作子の一部が指示されるだけであり、視認容易性の点でも解決すべき問題が多々あった。
【０００５】
【発明の概要】
本発明は、上記問題に対処するためになされたもので、その目的は、複数の演奏操作子の操作の組み合わせに応じて発音する楽音が決定される電子楽器の演奏や練習が容易に行えるようになる電子楽器を提供することである。
【０００６】
上記の目的を達成するため、本発明にかかる電子楽器の構成上の特徴は、朝顔部を含む楽器本体と、楽器本体に設けられた口入力出手段と、楽器本体に設けられた複数の演奏操作子からなり演奏操作子の操作の組み合わせに応じて発生する楽音を決定する運指入力手段と、口入力手段の出力と、運指入力手段の出力とに応じて楽音を発生する楽音発生手段とを備えた電子楽器であって、電子楽器を演奏者が演奏する際の朝顔部における演奏者の視界部分に、演奏操作子の操作をガイドするための運指ガイド手段を設けたことにある。
【０００７】
前記のように構成した本発明の電子楽器においては、トランペットやホルン等のように朝顔部を備えた電子楽器を、演奏者が演奏する際に、演奏者の視界に入る朝顔部の所定部分に、演奏操作子の操作順序を示すための運指ガイド手段を設けている。したがって、演奏者はその運指ガイド手段のガイドに合わせて演奏操作子の操作を行うことができる。また、運指ガイド手段が演奏者から見えやすい朝顔部に設けられているため演奏者は、自然な演奏姿勢のままで運指ガイド手段を見ることができる。なお、本発明において口入力手段とは、音声や空気流による空気振動を入力するための手段をいう。
【０００８】
また、本発明にかかる電子楽器の他の構成上の特徴として、前記運指ガイド手段を、運指入力手段が備える複数の演奏操作子に対応する複数の指示部で構成し、かつ複数の指示部の大きさ、形状、色または明暗をそれぞれ異なるように設定する構成を追加してもよい。
【０００９】
この場合の運指ガイド手段は、例えば、トランペットの形状を有する電子楽器が備える３個の演奏ピストンのそれぞれに対応する３個の表示部で構成することができる。したがって、自動演奏データによるピストンの操作指示のタイミングに合わせてそれに対応する各表示部を表示させることにより、演奏者はその表示に合わせて演奏操作子の操作を行うことができる。また、各表示部の大きさ、形状、色またはその色の明暗がそれぞれ異なるように設定されているため、演奏者は、見間違えることなく表示部を判別することができる。
【００１０】
【発明の実施の形態】
以下、本発明の一実施形態を図面を用いて説明する。図１は、同実施形態にかかる電子楽器Ｍを示している。この電子楽器Ｍは、トランペットの形状をした楽器本体１０を備えている。楽器本体１０は、前後方向（図示の左右方向）に長尺に形成されている。そして、楽器本体１０の略中央には手を貫通させることができるほどの長円状の大きな中央孔１０ａが形成されている。
【００１１】
楽器本体１０の前後方向の中央上部には、前後方向に沿って手前側から先端側に向かって本発明の運指入力手段を構成する複数の演奏操作子としての第１演奏ピストン１１、第２演奏ピストン１２および第３演奏ピストン１３が組み付けられている。これらの第１〜第３演奏ピストン１１〜１３は、上下に延設されたロッド１１ａ，１２ａ，１３ａと、ロッド１１ａ〜１３ａの上端に固着されて指で押圧操作される円盤状の操作部１１ｂ，１２ｂ，１３ｂとをそれぞれ備えている。
【００１２】
楽器本体１０の中央孔１０ａには、上下に跨って３本の円筒状のグリップ１４，１５，１６が設けられており、このグリップ１４，１５，１６の両端は楽器本体１０の上下部に接続されている。また、楽器本体１０の上面におけるロッド１１ａ〜１３ａの下部側部分には、それぞれリング１７，１８，１９が固着されている。
【００１３】
楽器本体１０の手前側端部には、マイクロフォンまたは薄板に貼着された圧電素子などからなる本発明の空気振動検出手段としての空気振動検出器２１が組み付けられている。また、楽器本体１０の手前側の一側面には、この電子楽器Ｍの作動態様を指示するための複数の設定操作子２２と、同作動態様などを表示するための液晶ディスプレイで構成した表示器２３とが設けられている。
【００１４】
楽器本体１０の先端には朝顔部１０ｂが形成されており、朝顔部１０ｂの内部には、楽音を発生するためのスピーカー２４が先端に向けて収容されている。そして、朝顔部１０ｂの上部に、本発明の運指ガイド手段としての発光子２５，２６，２７が設けられている。この発光子２５〜２７は、図２に示すように、朝顔部１０ｂの演奏者と対向する側に設けられた発光子２５が大きく先端側に設けられた発光子２７が小さくなるようにそれぞれ大きさの異なる発光ダイオードまたはランプ等で構成されている。
【００１５】
発光子２５〜２７は、それぞれ独立して発光するように構成され、発光子２５は第１演奏ピストン１１の押圧操作により発光し、発光子２６は第２演奏ピストン１２の押圧操作により発光し、発光子２７は第３演奏ピストン１３の押圧操作により発光する。また、楽器本体１０の内部には、この電子楽器Ｍの作動を制御するための電気回路装置（図示せず）が収容されている。
【００１６】
つぎに、この電気回路装置について、図３のブロック図を用いて説明すると、電気回路は、バス３０に接続された音声信号入力回路３１、スイッチ回路３２、表示制御回路３３、楽音信号発生回路３４、コンピュータ本体部３５、メモリ装置３６および発光制御回路３７を備えている。
【００１７】
音声信号入力回路３１は、空気振動検出器２１から入力した音声信号のピッチ（周波数）を検出するピッチ検出回路３１ａと、音声信号の音量レベル（振幅）を検出するレベル検出回路３１ｂとを備えている。スイッチ回路３２は、第１〜第３演奏ピストン１１〜１３および複数の設定操作子２２の操作に連動するスイッチを有し、第１〜第３演奏ピストン１１〜１３および複数の設定操作子２２の操作状態を検出する。
【００１８】
表示制御回路３３は、表示器２３の表示状態を制御する。楽音信号発生回路３４は、入力されるデータに基づいて楽音信号を生成して、楽音信号をアンプ３８を介してスピーカー２４に出力する。コンピュータ本体部３５は、ＣＰＵ，ＲＯＭ，ＲＡＭ，タイマなどからなり、プログラムの実行により、電子楽器Ｍの各動作を制御する。メモリ装置３６は、メモリカードなどのような小型かつ大容量の記録媒体からなり、各種プログラムおよび各種演奏データを記憶している。また、発光制御回路３７は、発光子２５〜２７の点灯消灯を制御する。
【００１９】
つぎに、以上のように構成した電子楽器Ｍの動作について説明する。まず、メモリ装置３６に記憶されている演奏データに基づいて、操作すべき第１〜第３演奏ピストン１１〜１３の操作の組み合わせを演奏者に対して指示する演奏ガイドについて説明する。
【００２０】
電子楽器Ｍをオン状態にして作動させると、コンピュータ本体部３５のプログラム実行により、演奏データが時間経過にしたがって順次読み出される。この読み出された演奏データは、演奏者が押圧操作すべき第１〜第３演奏ピストン１１〜１３の組み合わせを表す運指データに変換される。この運指データの変換処理は、コンピュータ本体部３５のＲＯＭまたはメモリ装置３６に予め記憶されている運指テーブル（図示せず）に基づいてＣＰＵが行う。
【００２１】
この変換された運指データは、コンピュータ本体部３５から発光制御回路３７に供給され、発光制御回路３７は、供給された運指データに基づいて発光子２５〜２７を点灯制御する。このような発光子２５〜２７の発光により、演奏者は、押圧操作すべき第１〜第３演奏ピストン１１〜１３の組み合わせを認識できる。このため、演奏者は、発光子２５〜２７の発光にしたがって順次第１〜第３演奏ピストン１１〜１３を押圧操作するとともに、空気振動検出器２１に向かって発生させようとする楽音に対応する音声を発生することにより、簡単に楽器演奏を楽しむことができるとともに、楽器の演奏練習を行えるようになる。
【００２２】
演奏者による第１〜第３演奏ピストン１１〜１３の操作状態は、スイッチ回路３２によって検出される。また、演奏者の音声のピッチは、ピッチ検出回路３１ａによって検出され、音声のレベルはレベル検出回路３１ｂによって検出される。これらの各検出データは、楽音信号発生回路３４に供給され、楽音信号発生回路３４は、これらの供給された各データに基づいて楽音信号を生成して、その楽音信号に対応した楽音をアンプ３８およびスピーカー２４を介して発音する。
【００２３】
この場合、第１〜第３演奏ピストン１１〜１３の操作の組み合わせにより、発生される楽音の音高候補として、複数の音高が指定される。例えば、第１〜第３演奏ピストン１１〜１３のいずれも操作されなければ、発生される楽音の音高候補は、「Ｃ４」、「Ｇ４」、「Ｃ５」、「Ｅ５」などである。また、第２演奏ピストン１２だけが操作されれば、発生される楽音の音高候補は、「Ｂ３」、「Ｆ＃４」、「Ｂ４」、「Ｄ＃５」などである。
【００２４】
そして、これらの音高候補と、空気振動検出器２１から入力された音声信号とによって、所定の楽音が発生される。例えば、第１〜第３演奏ピストン１１〜１３のいずれも操作されない状態で、「Ａ＃２」と「Ｄ＃３」の間の周波数域の音声を入力すれば「Ｃ４」の音高を有する楽音が発生され、「Ｅ３」と「Ａ３」の間の周波数域の音声を発生すれば「Ｇ４」の音高を有する楽音が発生される。
【００２５】
以上のように、本実施形態にかかる電子楽器Ｍでは、演奏者が演奏する際に、演奏者の視線の正面に位置する朝顔部１０ｂの上部に、第１〜第３演奏ピストン１１〜１３の押圧操作の順序を発光によって示す発光子２５〜２７を設けている。したがって、演奏者は発光子２５〜２７の点灯に合わせて第１〜第３演奏ピストン１１〜１３を順次押圧操作することにより、簡単に電子楽器Ｍを演奏することができる。
【００２６】
また、発光子２５〜２７のそれぞれの大きさが、朝顔部１０ｂの手前側に位置する発光子２５が大きく先端側に位置するほど発光子２６，２７が順に小さくなるように異なるように設定されているため、各発光子２５〜２７を判別しやすくなっている。また、発光子２５が第１演奏ピストン１１に対応し、発光子２６が第２演奏ピストン１２に対応し、発光子２７が第３演奏ピストン１３に対応するといったように対応する発光子と演奏ピストンの並び順が同じになっているため、演奏者は、見間違えることなく発光子２５〜２７を判別して対応する第１〜第３演奏ピストン１１〜１３を操作することができる。
【００２７】
本発明の実施にあたっては、前述した実施形態に限定されるものでなく、本発明の目的を逸脱しない限りにおいて種々の変更が可能である。例えば、前述した実施形態では、発光子２５〜２７の大きさを、朝顔部１０ｂの手前側に位置する発光子２５を大きくし、先端側に位置するほど発光子２６，２７が順に小さくなるように設定したが、これを逆にして朝顔部１０ｂの手前側に位置する発光子２５を小さくし、先端側に位置するほど発光子２６，２７が順に大きくなるように設定してもよい。これによっても各発光子の大きさが異なるため判別しやすくなる。
【００２８】
さらに、発光子の配置を、図４に示したようにすることもできる。すなわち、この電子楽器では、朝顔部４０ｂの先端開口縁部の外周部における図示の上部に第１演奏ピストンに対応する発光子４５が設けられ、発光子４５の左右両側に第２演奏ピストンに対応する発光子４６ａ，４６ｂが設けられ、発光子４６ａの左側部分および発光子４６ｂの右側部分に第３演奏ピストンに対応する発光子４７ａ，４７ｂが設けられている。これによっても各発光子４５等を判別しやすくなる。
【００２９】
また、この発光子４５等を大きさや設置位置でなく、図５に示した発光子５５，５６，５７のように異なる形状にしたり、赤青黄のように色を変えたり、暗、やや暗い、明のように色の明暗を変えたりして朝顔部の演奏者と対向する部分に設置することで判別できるようにすることもできる。さらに、電子楽器Ｍ等の外形形状もトランペットに限らず、ホルンなどの管楽器や朝顔部を備えた他の楽器の形状にすることができる。また、前述した実施形態では、楽器本体１０の手前側端部に空気振動検出器２１を露呈させて取り付けているが、この部分に、音声や空気流を入力するための空気振動入力部を構成する口当部を設け、この口当部に空気振動検出器を設けるようにしてもよい。
【００３０】
また、グリップ１４〜１６の上端部を楽器本体１０の上部を貫通させて上方に向かって開口させるとともに、第１〜第３演奏ピストン１１〜１３のロッド１１ａ〜１３ａを、グリップ１４〜１６の上端開口からグリップ１４〜１６内に侵させてグリップ１４〜１６内で進退可能にすることもできる。この場合、グリップ１４〜１６内には、スプリングやストッパ機構（図示せず）を設けて、これらによってロッド１１ａ〜１３ａを、上方に付勢するとともに、演奏者による押圧操作の解除により上端位置に静止させるようにすることもできる。これによって、アコーステックのトランペットの演奏感覚を感じることができる。
【００３１】
上述の発光指示は、演奏すべき楽音の時系列的表示としての演奏支援技術であったが、この発光指示を自ら演奏すべき楽音の音高指定の指示のために「発光」を利用してもよい。すなわち、例えば、口入力部からの音高（ピッチ）が、ほぼ「Ｅ」であったとすると、そのピストンの押さえ方は、「第１、第２ピストン１１，１２ともに押下する」であるので、発光体２５，２６を発光させるという方法である。このようにピッチからピストン押さえ方データを算出する方法は、ピッチ検出後のピッチデータを該データに変換するテーブルメモリを設ければよい。その場合は、メモリ装置３６の一部を利用してもよい。このように、この発明では、自動演奏データによるピストン押圧指示だけでなく、自ら発声する楽音指示によるピストン押圧指示も含まれる。
【図面の簡単な説明】
【図１】本発明の一実施形態に係る電子楽器を示す側面図である。
【図２】図１に示した電子楽器が備える発光子を示す斜視図である。
【図３】図１の電子楽器に内臓されている電気回路装置のブロック図である。
【図４】本発明の他の実施形態に係る電子楽器が備える発光子を示す斜視図である。
【図５】本発明のさらに他の実施形態に係る電子楽器が備える発光子の形状を示す平面図である。
【符号の説明】
１０…楽器本体、１０ｂ…朝顔部、１１〜１３…第１〜第３演奏ピストン（演奏操作子）、２１…空気振動検出器（空気振動検出手段）、２４…スピーカー、２５〜２７…発光子（運指ガイド手段）、３１…音声信号入力回路、３１ａ…ピッチ検出回路、３１ｂ…レベル検出回路、３２…スイッチ回路、３４…楽音信号発生回路、３５…コンピュータ本体部、３７…発光制御回路、Ｍ…電子楽器。
【図１】
2004279658.tif 000003
【図２】
2004279658.tif 000004
【図３】
2004279658.tif 000005
【図４】
2004279658.tif 000006
【図５】
2004279658.tif 000007